【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
パルス信号の連なりを生成するためのモジュレータと、
当該パルス信号の連なりをレーダー信号に変換するための送信機と、
当該レーダー信号を発するとともにリターン信号を受信するためのアンテナと、
当該リターン信号を増幅するための増幅器と、
送信機をアンテナに、かつアンテナを増幅器に切替可能に相互接続するためのスイッチング装置と、
表示のために、増幅されたリターン信号を処理する信号プロセッサと、
当該信号プロセッサからの処理された信号を表示するためのディスプレイとを含むレーダー装置であって、
前記レーダー装置はさらに、増幅器と信号プロセッサとの間に線形受信機を含み、当該線形受信機は、信号プロセッサによる処理のために、前記増幅されたリターン信号を示すデジタル出力を生成する線形デモジュレータを含み、当該デジタル出力は表示の前に信号プロセッサによる非線形のダイナミックレンジマッチングに晒される、レーダー装置。
【請求項２】
パルス信号の連なりを生成するためのモジュレータと、
当該パルス信号の連なりをソナー信号に変換するための送信機と、
当該ソナー信号を発するとともにリターン信号を受信するためのトランスデューサと、
当該リターン信号を増幅するための増幅器と、
送信機をトランスデューサに、かつトランスデューサを増幅器に切替可能に相互接続するためのスイッチング装置と、
表示のために、増幅されたリターン信号を処理するための信号プロセッサと、
当該信号プロセッサからの処理された信号を表示するためのディスプレイとを含むソナー装置であって、
前記ソナー装置はさらに、増幅器と信号プロセッサとの間に線形受信機をさらに含み、当該線形受信機は信号プロセッサによる処理のために、前記増幅されたリターン信号を示すデジタル出力を生成する線形デモジュレータを含み、
当該デジタル出力は表示の前に信号プロセッサによる非線形のダイナミックレンジマッチングに晒される、ソナー装置。
【請求項３】
前記線形受信機は複数の線形増幅器および線形デモジュレータを含む、請求項１または請求項２に記載の装置。
【請求項４】
増幅器に接続され、増幅されたリターン信号をフィルタリングするためのアンチエイリアスフィルタと、フィルタリングされたアナログ信号をデジタル信号に変換するためのサブサンプリング・アナログ−デジタルコンバータとをさらに含み、デジタル信号は信号プロセッサに供給される、請求項１に記載のレーダー装置または請求項２に記載のソナー装置。
【請求項５】
前記アンチエイリアスフィルタは、シャノン−ナイキスト−カテリニコフのサンプリング定理を満たすよう増幅器のリターン信号の帯域幅を制限するよう構成される、請求項４に記載の装置。
【請求項６】
前記サブサンプリング・アナログ−デジタルコンバータからの前記デジタル信号をフィルタリングするためのデジタルフィルタを有する、請求項４または請求項５に記載の装置。
【請求項７】
ディスプレイは、前記信号プロセッサの出力から前記リターン信号の振幅の擬似カラー表現を示すよう構成される、先行する請求項のいずれか１項に記載の装置。
【請求項８】
レーダー装置であって、
パルス信号の連なりを生成するためのモジュレータを含み、当該パルス信号は複数のパルス幅を有し、前記レーダー装置はさらに、
当該パルス信号の連なりをレーダー信号に変換するための送信機と、
当該レーダー信号を発するとともにリターン信号を受信するためのアンテナとを含み、当該リターン信号は複数のパルス幅を有し、前記レーダー装置はさらに、
当該リターン信号を増幅するための増幅器と、
送信機をアンテナに、かつアンテナを増幅器に切替可能に相互接続するためのスイッチング装置と、
表示および／または分析のために、増幅されたリターン信号を処理する信号プロセッサとを含むレーダー装置であって、
前記レーダー装置は、増幅器に接続され、増幅されたリターン信号をフィルタリングするためのアンチエイリアスフィルタと、フィルタリングされた信号をデジタル信号に変換するためのサブサンプリング・アナログ−デジタルコンバータと、デジタル信号をフィルタリングするための複数のデジタルフィルタとをさらに含み、フィルタリングされたデジタル信号は信号プロセッサに供給され、当該複数のフィルタはリターン信号の複数のパルス幅にマッチングされることを特徴とする、レーダー装置。
【請求項９】
前記アンチエイリアスフィルタは、シャノン−ナイキスト−カテリニコフのサンプリング定理を満たすよう増幅器のリターン信号の帯域幅を制限するよう構成される、請求項８に記載の装置。
【請求項１０】
前記信号プロセッサの出力から前記リターン信号の振幅の擬似カラー表現を示すよう構成されるディスプレイをさらに含む、請求項８または９に記載の装置。
【請求項１１】
パルス信号の連なりを生成するためのモジュレータと、
当該パルス信号の連なりをレーダー信号に変換するための送信機と、
当該レーダー信号を発するとともにリターン信号を受信するためのアンテナと、
当該リターン信号を増幅するための増幅器と、
送信機をアンテナに、かつアンテナを増幅器に切替可能に相互接続するためのスイッチング装置と、
表示および／または分析のために、増幅されたリターン信号を処理する信号プロセッサとを含むレーダー装置であって、
前記レーダー装置は、増幅器に接続され、増幅されたリターン信号をフィルタリングするためのアンチエイリアスフィルタと、フィルタリングされた信号をデジタル信号にするためのアナログ−デジタルコンバータとを有し、前記デジタル信号は信号プロセッサに供給され、信号プロセッサは、デジタル信号処理バスに接続されるネットワークインターフェイス・メディアアクセスコントローラおよび物理層インターフェイスを有するデジタル信号プロセッサであり、メディアアクセスコントローラはデジタル信号処理バスに直接的に接続されるか、またはデジタル信号処理バスへのメディアアクセスコントローラの接続はバスバッファのみを介していることを特徴とする、レーダー装置。
【請求項１２】
パルス信号の連なりを生成するためのモジュレータと、
当該パルス信号の連なりをソナー信号に変換するための送信機と、
当該ソナー信号を発するとともにリターン信号を受信するためのトランスデューサと、
当該リターン信号を増幅するための増幅器と、
送信機をトランスデューサに、かつトランスデューサを増幅器に切替可能に相互接続するためのスイッチング装置と、
表示および／または分析のために、増幅されたリターン信号を処理する信号プロセッサとを含むソナー装置であって、
前記ソナー装置は、増幅器に接続され、増幅されたリターン信号をフィルタリングするためのアンチエイリアスフィルタと、フィルタリングされた信号をデジタル信号にするためのアナログ−デジタルコンバータとを有し、前記デジタル信号は信号プロセッサに供給され、信号プロセッサは、デジタル信号処理バスに接続されるネットワークインターフェイス・メディアアクセスコントローラおよび物理層インターフェイスを有するデジタル信号プロセッサであり、メディアアクセスコントローラはデジタル信号処理バスに直接的に接続されるか、またはデジタル信号処理バスへのメディアアクセスコントローラの接続はバスバッファのみを介していることを特徴とする、ソナー装置。
【請求項１３】
パルス信号の連なりを生成するためのモジュレータと、
当該パルス信号の連なりをレーダー信号に変換するための送信機と、
当該レーダー信号を発するとともにリターン信号を受信するためのアンテナと、
当該リターン信号を増幅するための増幅器と、
送信機をアンテナに、かつアンテナを増幅器に切替可能に相互接続するためのスイッチング装置と、
表示および／または分析のために、増幅されたリターン信号を処理する信号プロセッサとを含むレーダーシステムであって、
前記レーダーシステムはさらに、増幅器のゲインを制御するためのコントローラを含み、コントローラは、前記リターン信号のレンジ依存振幅変動について補償するためのデータを含む複数のルックアップテーブルを含み、前記レーダーシステムは、複数のレンジにて動作するよう構成され、各レンジは対応するルックアップテーブルを有することを特徴とする、レーダーシステム。
【請求項１４】
パルス信号の連なりを生成するためのモジュレータと、
当該パルス信号の連なりをソナー信号に変換するための送信機と、
当該ソナー信号を発するとともにリターン信号を受信するためのトランスデューサと、
当該リターン信号を増幅するための増幅器と、
送信機をトランスデューサに、かつトランスデューサを増幅器に切替可能に相互接続するためのスイッチング装置と、
表示および／または分析のために、増幅されたリターン信号を処理するための信号プロセッサとを含むソナーシステムであって、
前記ソナーシステムはさらに増幅器のゲインを制御するためのコントローラを含み、コントローラは前記リターン信号のレンジ依存振幅変動について補償するためのデータを含む複数のルックアップテーブルを含み、前記ソナーシステムは、複数のレンジにて動作するよう構成され、各レンジは対応するルックアップテーブルを有することを特徴とする、ソナーシステム。
【請求項１５】
パルス信号の連なりを生成するためのモジュレータと、
当該パルス信号の連なりをレーダー信号に変換するための送信機と、
当該レーダー信号を発するとともにリターン信号を受信するためのアンテナと、
当該リターン信号を増幅するための増幅器と、
送信機をアンテナに、かつアンテナを増幅器に切替可能に相互接続するためのスイッチング装置と、
表示および／または分析のために、増幅されたリターン信号を処理する信号プロセッサとを含むレーダーシステムであって、
前記レーダーシステムはさらに、増幅器のゲインを制御するためのコントローラを含み、コントローラは、前記リターン信号のレンジ依存振幅変動について補償するためのデータを含む複数のルックアップテーブルを含み、前記増幅器は複数のゲインステージを有し、各ルックアップテーブルは前記ゲインステージの１つに対応することを特徴とする、レーダーシステム。
【請求項１６】
パルス信号の連なりを生成するためのモジュレータと、
当該パルス信号の連なりをソナー信号に変換するための送信機と、
当該ソナー信号を発するとともにリターン信号を受信するためのトランスデューサと、
当該リターン信号を増幅するための増幅器と、
送信機をトランスデューサに、かつトランスデューサを増幅器に切替可能に相互接続するためのスイッチング装置と、
表示および／または分析のために、増幅されたリターン信号を処理するための信号プロセッサとを含むソナーシステムであって、
前記ソナーシステムはさらに増幅器のゲインを制御するためのコントローラを含み、コントローラは前記リターン信号のレンジ依存振幅変動について補償するためのデータを含む複数のルックアップテーブルを含み、前記増幅器は複数のゲインステージを有し、各ルックアップテーブルは前記ゲインステージの１つに対応することを特徴とする、ソナーシステム。
【請求項１７】
前記複数のルックアップテーブルからの出力は、ともに加えられ、飽和論理に晒され、次いで、前記増幅器の適切なゲインステージを決定するよう用いられる、請求項１５または１６に記載の装置。
【請求項１８】
パルス信号の連なりを生成するためのモジュレータと、
当該パルス信号の連なりをレーダー信号に変換するための送信機と、
当該レーダー信号を発するとともにリターン信号を受信するためのアンテナと、
当該リターン信号を増幅するための増幅器と、
送信機をアンテナに、かつアンテナを増幅器に切替可能に相互接続するためのスイッチング装置と、
表示および／または分析のために、増幅されたリターン信号を処理する信号プロセッサとを含むレーダーシステムであって、
前記レーダーシステムはさらに、増幅器のゲインを制御するためのコントローラを含み、コントローラは、前記リターン信号のレンジ依存振幅変動について補償するためのデータを含む少なくとも１つのルックアップテーブルを含み、前記増幅器は複数のゲインステージを有し、前記少なくとも１つのルックアップテーブルは複数のテーブル領域を有し、各テーブル領域は前記ゲインステージの１つに対応することを特徴とする、レーダーシステム。
【請求項１９】
パルス信号の連なりを生成するためのモジュレータと、
当該パルス信号の連なりをソナー信号に変換するための送信機と、
当該ソナー信号を発するとともにリターン信号を受信するためのトランスデューサと、
当該リターン信号を増幅するための増幅器と、
送信機をトランスデューサに、かつトランスデューサを増幅器に切替可能に相互接続するためのスイッチング装置と、
表示および／または分析のために、増幅されたリターン信号を処理するための信号プロセッサとを含むソナーシステムであって、
前記ソナーシステムはさらに増幅器のゲインを制御するためのコントローラを含み、コントローラは前記リターン信号のレンジ依存振幅変動について補償するためのデータを含む少なくとも１つのルックアップテーブルを含み、前記増幅器は複数のゲインステージを有し、前記少なくとも１つのルックアップテーブルは複数のテーブル領域を有し、各テーブル領域は前記ゲインステージの１つに対応することを特徴とする、ソナーシステム。
【請求項２０】
前記複数のテーブル領域からの出力は、ともに加えられ、飽和論理に晒され、次いで、前記増幅器の適切なゲインステージを決定するよう用いられる、請求項１８または請求項１９に記載のシステム。